(57)【特許請求の範囲】
【請求項１】
底部と底部にヒンジ部材を介して連結された４つの側壁を有するとともに、底部に側壁を重ねるようにして折り畳むことが可能な折り畳みコンテナーにおいて、折り畳み状態から最初に立てられる側壁には、後から立てられる側壁が当接可能な係止弾性片を形成するとともに、後から立てられる側壁の外壁面に形成されたロック解除部材収納領域の左右領域には、それぞれ、前記係止弾性片を押圧するロック解除本体と操作部を有するロック解除操作体とからなるロック解除部材を、前記操作部が相対するように配設し、前記ロック解除部材の操作部を、互いに、接近する方向に移動させることにより、最初に立てられる側壁と後から立てられる側壁とのロック状態を解除するようにしたことを特徴とする折り畳みコンテナー。
【請求項２】
ロック解除操作体の操作部の上方に位置する周辺リブを構成する上部水平部に、所定の幅の切り欠き凹部を形成したことを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されており、ロック機構は、長側壁或いは短側壁に形成された、先端に凸条突起が形成された弾性を有する板状体を有し、箱型に組み立てられた状態において、板状体が形成されていない一方の側壁の内壁面に、板状体に形成された凸条突起を当接することにより、側壁が、底部方向に倒れないように構成されている。
【０００３】
【発明が解決しようとする課題】
従来の折り畳みコンテナーにおいては、長側壁及び短側壁が、底部方向に倒れないように配設されたロック機構のロック状態を解除するためには、箱型に組み立てられた折り畳みコンテナーの内部に手を入れて、ロック機構のロック状態を解除しなければならず、従って、ロック機構のロック解除作業の作業性が悪く、特に、ロック機構まで、或いは、ロック機構付近まで、物品が収容されている場合には、ロック解除作業の作業性が一段と悪くなるという問題があった。
【０００４】
また、ロック機構が、折り畳みコンテナーの外部に配設されている場合でも、一対のロック機構を、それぞれ、両手で移動させなければならず、ロック解除作業を迅速に行うことができないという問題があった。
【０００５】
作業者は、通常、ロック機構のロック作業及びロック解除作業を、折り畳みコンテナーのロック機構が配設されていない一方の側壁側に位置し、折り畳みコンテナーを上方から見ながら行うが、従来の折り畳みコンテナーにおいては、ロック機構の操作部が、ロック機構が配設されて側壁側からかしら視認できないために、ロック機構のロック作業及びロック解除作業の作業性が悪いという問題があった。
【０００６】
本発明の目的は、上述した従来の折り畳みコンテナーが有する課題を解決することにある。
【０００７】
【課題を解決するための手段】
本発明は、上述した目的を達成するために、底部と底部にヒンジ部材を介して連結された４つの側壁を有するとともに、底部に側壁を重ねるようにして折り畳むことが可能な折り畳みコンテナーにおいて、第１には、折り畳み状態から最初に立てられる側壁には、後から立てられる側壁が当接可能な係止弾性片を形成するとともに、後から立てられる側壁の外壁面に形成されたロック解除部材収納領域の左右領域には、それぞれ、前記係止弾性片を押圧するロック解除本体と操作部を有するロック解除操作体とからなるロック解除部材を、前記操作部が相対するように配設し、前記ロック解除部材の操作部を、互いに、接近する方向に移動させることにより、最初に立てられる側壁と後から立てられる側壁とのロック状態を解除するようにしたものであり、第２には、ロック解除操作体の操作部の上方に位置する周辺リブを構成する上部水平部に、所定の幅の切り欠き凹部を形成したものである。
【０００８】
【実施例】
以下に、本発明の実施例について説明するが、本発明の趣旨を越えない限り何ら、本実施例に限定されるものでない。
【０００９】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーをコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができる。
【００１０】
次に、図４を用いて、底部１について説明する。
【００１１】
底部１は、平面形状が略長方形に形成されており、底部１の相対する長辺側には、長手方向に対して垂直な断面形状が略逆Ｕ字状の長辺側土手部１ａが形成されている。長辺側土手部１ａの外側上面には、長辺側土手部１ａの外側面と面一な、上方に延在する外壁（以下、長辺側外壁という。）１ｂが形成されており、また、長辺側土手部１ａの内側上面には、長辺側ヒンジ雌部Ｈ１を構成する板状部ｈ１が上方に延在するとともに、板状部ｈ１の上部には、その先端が長辺側外壁１ｂ方向に湾曲したフックｈ２が形成されている。長辺側土手部１ａには、長辺側ヒンジ雌部Ｈ１が、所定の間隔で適当数、形成されている。なお、本実施例には、７個の長辺側ヒンジ雌部Ｈ１が形成されている例が示されている。そして、長辺側ヒンジ雌部Ｈ１は、長辺側外壁１ｂと略同じ高さに形成されている。
【００１２】
底部１の相対する短辺側には、長辺側土手部１ａに形成された長辺側外壁１ｂより、高さの低い外壁（以下、短辺側外壁という。）１ｃが形成されており、短辺側外壁１ｃには、所定の間隔を置いて、外側及び上方が開口された一対の嵌合凹部１ｃ１が形成されている。また、短辺側外壁１ｃに沿って、且つ、短辺側外壁１ｃに接近して、底部１には、板状部ｈ１と、短辺側外壁１ｃ方向に湾曲したフックｈ２とからなる、上述した長辺側ヒンジ雌部Ｈ１と同様の短辺側ヒンジ雌部Ｈ２が形成されている。なお、本実施例には、短辺側ヒンジ雌部Ｈ２が、３個、配設されている例が示されている。そして、短辺側ヒンジ雌部Ｈ２は、短辺側外壁１ｃの高さと略同じ高さに形成されている。
【００１３】
底部１の４つの角部には、長辺側外壁１ｂを越えて上方に延在する、平面形状が略Ｌ字状の角部載置ブロック１ｄが形成されている。角部載置ブロック１ｄは、長辺側土手部１ａと略同じ幅で、長辺側土手部１ａ方向に延在する長辺側部分１ｄ１と、短辺側外壁１ｃより内側で、且つ、短辺側外壁１ｃに沿って延在する短辺側部分１ｄ２とを有しており、短辺側部分１ｄ２の外側には、段部１ｄ３が形成されている。
【００１４】
１ｅは、長辺側土手部１ａの上面と長辺側外壁１ｂの内壁面とにより形成される隅部に、所定の間隔を置いて適当数形成された長辺側載置ブロックであり、長辺側載置ブロック１ｅは、上述した角部載置ブロック１ｄと同じ高さを有している。本実施例においては、角部載置ブロック１ｄと角部載置ブロック１ｄに隣接する長辺側ヒンジ雌部Ｈ１との間、及び、隣接する長辺側ヒンジ雌部Ｈ１間に形成されており、合計で、６個の長辺側載置ブロック１ｅが形成されている。１ｆは、長辺側土手部１ａの上面と長辺側外壁１ｂの内壁面とにより形成される隅部の適当な箇所に形成された板状の補強リブであり、補強リブ１ｆは、長辺側外壁１ｂを越えて上方に延在しないように形成されている。なお、角部載置ブロック１ｄ及び長辺側載置ブロック１ｅは、外側に開口を有し、内部が空洞に形成されていることが、底部１、ひいては、折り畳みコンテナーの重量の低減化の観点から好ましく、角部載置ブロック１ｄのように、必要に応じて、縦横にリブ１ｄ４を形成することもできる。
【００１５】
次に、図５、図６及び図１４を用いて、長側壁２について説明する。
【００１６】
長側壁２は、横長の略長方形状の板状部２ａを有しており、板状部２ａには、板状部２ａの上下端辺及び左右端辺に沿って、板状部２ａの面に対して垂直に延在する周辺リブ２ｂが延設されている。周辺リブ２ｂにより囲まれた板状部２ａには、適宜、垂直方向及び水平方向に延在する補強リブ２ｃが、適当本数、形成されている。周辺リブ２ｂや補強リブ２ｃが形成されている側が、箱型に組み立てられた際の折り畳みコンテナーの外側に位置し、長側壁２の外壁面を形成するとともに、このような周辺リブ２ｂや補強リブ２ｃが形成されていない、平坦な側が、箱型に組み立てられた際の折り畳みコンテナーの内側に位置し、長側壁２の内壁面を形成することになる。
【００１７】
長側壁２の両垂直端には、板状部２ａに略垂直に、且つ、長側壁２の内壁面方向に延在する、縦長の係合枠２ｄが形成されており。係合枠２ｄには、上下方向に所定の間隔を置いて、板状部２ａに略平行な嵌合孔２ｅ１、２ｅ２、２ｅ３が、３個、形成されている。嵌合孔２ｅ１、２ｅ２、２ｅ３のうち、中央に位置する嵌合孔２ｅ２の周囲には、板状部２ａと共働して、嵌合孔２ｅ２を囲むように、且つ、板状部２ａに連結された略コの字状の補強土手部２ｅ４が形成されており、このような、補強土手部２ｅ４を形成することにより、係合枠２ｄのひねり強度及び剛性を高めることができる。
【００１８】
長側壁２の板状部２ａの上部両端角部付近には、それぞれ、コの字状のスリット２ｆが形成されており、コの字状のスリット２ｆを形成することにより、スリット２ｆで囲まれた部分が、片持ち状の係止弾性片２ｇに形成されている。係止弾性片２ｇの内壁面側の先端には、係止突部２ｇ１が突設されており、係止突部２ｇ１の係合枠２ｄ側の垂直面は、好ましくは、係合枠２ｄの内壁面側の面２ｄ１と略平行な垂直面２ｇ２に形成されているとともに、係止突部２ｇ１には、垂直面２ｇ２から内壁面に向かって傾斜面２ｇ３が形成されている。また、係止弾性片２ｇの係止突部２ｇ１は、その先端が、内壁面から、所定量、突出するように形成されており、本実施例においては、係止弾性片２ｇは、係合枠２ｄに形成された上方に位置する嵌合孔２ｅ１と中央に位置する嵌合孔２ｅ２との間に位置するように構成されている。
【００１９】
２ｈは、長側壁２の周辺リブ２ｂを構成する下部水平部２ｂ１の裏面に、所定の間隔を置いて形成された、横長の下部ブロックであり、下部ブロック２ｈ間には、上述した底部１に形成された長辺側載置ブロック１ｅが挿入可能な凹部２ｉが形成されている。本実施例には、７個の下部ブロック２ｈが示されており、また、６個の長辺側載置ブロック１ｅに対応して、６個の凹部２ｉが形成されている。各下部ブロック２ｈの水平枠２ｈ１の下面には、所定の間隔を置いて、下端が半円形状の一対の支持片ｈ３が垂設されており、また、支持片ｈ３間には、水平ピンｈ４が架橋されており、一対の支持片ｈ３と水平ピンｈ４とにより、上述した底部１の長辺側ヒンジ雌部Ｈ１に対応した長側壁側ヒンジ雄部Ｈ３が形成されている。なお、下部ブロック２ｈの水平枠２ｈ１の下面の長側壁側ヒンジ雄部Ｈ３が形成されていない部分には、支持片ｈ３と同様の補強片２ｊが垂設されており、また、隣り合う補強片２ｊと支持片ｈ３或いは隣り合う補強片２ｊと支持片ｈ３とは、連結板２ｋにより連結されている。
【００２０】
２ｍは、長側壁２の周辺リブ２ｂを構成する下部水平部２ｂ１の両端部付近に形成された、下方が解放された凹部であり、折り畳みコンテナーを箱型に組み立てた際に、上述した底部１に形成された角部載置ブロック１ｄの短辺側部分１ｄ２が挿入されるように構成されている。また、長側壁２の周辺リブ２ｂを構成する下部水平部２ｂ１と両側に位置する下部ブロック２ｈとにより、角部切り欠き部２ｎが形成されており、この角部切り欠き部２ｎには、折り畳みコンテナーを箱型に組み立てた際に、上述した底部１に形成された角部載置ブロック１ｄの長辺側部分１ｄ１が挿入されるように構成されている。
【００２１】
次に、図７〜図１２及び図１４を用いて、短側壁３について説明する。
【００２２】
短側壁３は、横長の略長方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂを形成する略垂直な側部３ｂ１の外側には、板状部３ａを延長することにより形成された縦長の板部３ｃ１を有する張出枠３ｃが形成されている。張出枠３ｃの下面と周辺リブ３ｂを形成する略垂直な側部３ｂ１とにより、張出枠３ｃの下部には、角部切り欠き部３ｄが形成されており、この角部切り欠き部３ｄには、折り畳みコンテナーを箱型に組み立てた際に、上述した底部１に形成された角部載置ブロック１ｄの短辺側部分１ｄ２が挿入されるように構成されている。
【００２３】
張出枠３ｃを形成する板部３ｃ１の垂直縁には、板部３ｃ１に垂直で、且つ、外側方向に延在する端部垂直リブ３ｃ２が形成されており、板部３ｃ１及び端部垂直リブ３ｃ２には、端部垂直リブ３ｃ２の先端を越えて延在するとともに、その先端の高さが同じである嵌合突部３ｅ１、３ｅ２、３ｅ３が形成されており、嵌合突部３ｅ１、３ｅ２、３ｅ３は、上述した長側壁２の係合枠２ｄに形成された嵌合孔２ｅ１、２ｅ２、２ｅ３に挿入されるように構成されている。中央に位置する嵌合突部３ｅ２の上下部分には、凹部３ｆが形成されており、中央に位置する嵌合突部３ｅ２は、上下に位置する嵌合突部３ｅ１、３ｅ３に比べて、その長さが長く形成されており、そして、上記の凹部３ｆには、折り畳みコンテナーを箱型に組みたてた際に、長側壁２の係合枠２ｄの中央に位置する嵌合孔２ｅ２の周囲に形成された補強土手部２ｅ４が挿入されるように構成されている。
【００２４】
短側壁３の板状部３ａの上部の両角部付近で、外側、即ち、折り畳みコンテナーを箱型に組み立てた際に、外側に位置する部分には、後述するロック解除本体及びロック解除操作体とからなるロック解除部材が配設可能なロック解除部材収納領域３ｇが形成されている。ロック解除部材収納領域３ｇは、上部水平部３ｂ２と、側部３ｂ１と、側部３ｂ１までは達していない、板状部３ａの上方に形成された第１水平リブ３ｇ１と、第１水平リブ３ｇ１より幅が狭く、且つ、第１水平リブ３ｇ１の上方に位置する第２水平リブ３ｇ２と、第２水平リブ３ｇ２の両端から、第１水平リブ３ｇまで延在する内側垂直リブ３ｇ３と、第１水平リブ３ｇ１の両端から下方に延在する外側垂直リブ３ｇ４と、外側垂直リブ３ｇ４の下端と側部３ｂ１を連結する第３水平リブ３ｇ５とにより囲まれており、ロック解部材収納領域３ｇの左右領域３ｇ’、３ｇ”には、それぞれ、ロック解除部材を構成する１個のロック解除本体及び１個のロック解除操作体が配設されるように構成されている。
【００２５】
３ｇ６’、３ｇ６”は、上部水平部３ｂ２と第３水平リブ３ｇ５とから、互いに、対向して接近する方向に延在する上部垂直分枝リブ及び下部垂直分枝リブであり、上部垂直分枝リブ３ｇ６’の先端からは、側部３ｂ１方向に延在するとともに、側部３ｂ１に連結された、側部３ｂ１に向かって下方に傾斜した上部傾斜リブ３ｇ７が延在しており、また、下部垂直分枝リブ３ｇ６”の先端からは、側部３ｂ１方向に延在するとともに、側部３ｂ１に連結された、側部３ｂ１に向かって上方に傾斜した下部傾斜リブ３ｇ８が延在している。
【００２６】
３ｇ９は、上部傾斜リブ３ｇ７付近に位置する上部水平部３ｂ２に連接された略Ｕ字状のリブであり、略Ｕ字状のリブ３ｇ９の水平部下面には、第１上部係止突起３ｈ１が垂下されており、また、第１水平リブ３ｇ１の両端部付近の上面には、第１上部係止突起３ｈ１と対向するように、第１下部係止突起３ｈ２が立設されている。また、第２水平リブ３ｇ２の両端部付近の上面には、第２下部係止突起３ｈ３が立設されており、上部水平部３ｂ２の下面には、第２下部係止突起３ｈ３と対向するように第２上部係止突起３ｈ４が垂下されている。更に、第２水平リブ３ｇ２の中程の上面には、第３下部係止突起３ｈ５が立設されており、上部水平部３ｂ２の中程の下面には、第３下部係止突起３ｈ５と若干ずれて、第３上部係止突起３ｈ６が垂下されている。上記の第１上部係止突起３ｈ１、第１下部係止突起３ｈ２、第２下部係止突起３ｈ３、第２上部係止突起３ｈ４、第３下部係止突起３ｈ５及び第３上部係止突起３ｈ６と、短側壁３の板状部３ａとの間には、所定の間隙が形成されており、また、金型設計上、第１上部係止突起３ｈ１、第１下部係止突起３ｈ２、第２下部係止突起３ｈ３、第２上部係止突起３ｈ４、第３下部係止突起３ｈ５及び第３上部係止突起３ｈ６の背後に位置する板状部３ａには透孔３ａ１が形成されている。３ｉ１は、第２上部係止突起３ｈ４と第３上部係止突起３ｈ６との間に位置する上部水平部３ｂ２の下面に垂下された上部規制リブであり、３ｉ２は、第２下部係止突起３ｈ３と第３下部係止突起３ｈ５との間に位置する第２水平リブ３ｇ２の上面に立設された下部規制リブである。なお、３ｊは、第３水平リブ３ｇ５と周辺リブ３ｂの下部水平部３ｂ３とを連結する連結垂直リブである。
【００２７】
次に、長側壁２の板状部２ａに形成された係止弾性片２ｇを、係止弾性片２ｇの弾性に抗して回動させるためのロック解除部材Ｒについて説明するが、本実施例には、ロック解除部材Ｒが、ロック解除本体４とロック解除操作体５とに分割されて構成されている例が示されているが、ロック解除本体４とロック解除操作体５とを一体に形成することもできる。
【００２８】
４は、ロック解除本体であり、ロック解除本体４は、上下に、互いに平行なレール部４ａ１が形成された略方形状の基部４ａを有しており、基部４ａの中央部には、作業者が、指を挿入可能な引っ掛け凹部４ａ２が形成されている。基部４ａには、正面形状が三角形状の土手部４ａ３が形成されており、三角形状の土手部４ａ３の先端部からは、基部４ａの奥板４ａ４を延長することにより形成された横長の略長方形板状の押圧部４ｂが延在している。また、三角形状の土手部４ａ３の先端部からは、押圧部４ｂに連結された支持リブ４ｃが延設されており、更に、支持リブ４ｃの先端部には、上下方向に、且つ、三角形状の土手部４ａ３方向に傾斜した一対の弾性条片４ｄ１からなる矢印状の弾性翼部４ｄが形成されている。４ｅは、土手部４ａ３に形成された垂直突条であり、このような垂直突条４ｅを形成したことにより、ロック解除本体４が、視覚的に確認し易くなる。なお、基部４ａに奥板４ａ４を形成することなく、引っ掛け凹部４ａ２を、基部４ａに形成された窓部として構成することもできる。
【００２９】
上述したロック解除本体４は、ロック解除本体４のレール部４ａ１を、短側壁３の板状部３ａと、上述した短側壁３に形成された第１上部係止突起３ｈ１と第１下部係止突起３ｈ２との間隙に挿入するとともに、ロック解除本体４の押圧部４ｂを、短側壁３に形成された上部傾斜リブ３ｇ７と下部傾斜リブ３ｇ８と間に位置する側部３ｂ１に形成されたスリット３ｋに挿入し、更には、ロック解除本体４の一対の弾性条片４ｄ１を、上部垂直分枝リブ３ｇ６’と略Ｕ字状のリブ３ｇ９の垂直部とにより形成される上部凹部３ｍ１及び下部垂直分枝リブ３ｇ６”と外側垂直リブ３ｇ４とにより形成される下部凹部３ｍ２に、それぞれ、挿入することにより、短側壁３に配設されるように構成されている。ロック解除本体４に外力が作用していない状態においては、上部凹部３ｍ１及び下部凹部３ｍ２に挿入された一対の弾性条片３ｄ１の弾性力により、スリット３ｋに挿入されているロック解除本体４の押圧部４ｂは、短側壁３の張出枠３ｃの端部垂直リブ３ｃ２を越えて、外側に延在しないように構成されている。
【００３０】
５は、ロック解除操作体であり、ロック解除操作体５は、細長い水平基部５ａと、水平基部５ａの一方の先端部に形成された、平面形状が略Ｌ字状の押出枠５ｂと、水平基部５ａのもう一方の先端に形成された板状の摘み部５ｃとを有しており、板状の摘み部５ｃの一方の先端には、押出枠５ｂ方向に延在する水平部５ｃ１が形成されている。また、押出枠５ｂの水平基部５ａに沿った板部５ｂ１には、上下の互いに平行なレール部５ｂ２を残して、コの字状の補強枠５ｄが形成されている。５ｅは、コの字状の補強枠５ｄの垂直部５ｄ１と水平基部５ａとにより形成された隅部に形成された略方形状の案内板である。
【００３１】
上述したロック解除操作体５のうち、図１０において、ロック解除部材収納領域３ｇの左領域３ｇ’に配置されるロック解除操作体５は、ロック解除操作体５のレール部５ｂ２を、短側壁３の板状部３ａと、上述した短側壁３に形成された第２下部係止突起３ｈ３と第２上部係止突起３ｈ４との間隙に挿入するとともに、水平基部５ａの下部を、短側壁３の板状部３ａと第３下部係止突起３ｈ５との間隙に挿入することにより、短側壁３に配設されるように構成されている。そして、ロック解除操作体５の押出枠５ｂの水平基部５ａに垂直な押出部５ｂ３は、ロック解除本体４の基部４ａの垂直部４ａ５に当接或いは接近して配置されるように構成されている。ロック解除部材収納領域３ｇの左領域３ｇ’に配置されるロック解除操作体５は、図９や図１２等に示されているように、摘み部５ｃの水平部５ｃ１や案内板５ｅが、水平基部５ａの上方に位置するように配設される。また、ロック解除操作体５の案内板５ｅは、第２上部係止突起３ｈ４と第３上部係止突起３ｈ６との間に位置する上部水平部３ｂ２の下面に垂下された上部規制リブ３ｉ１の下端と当接しており、ロック解除操作体５の上下方向の過度の動きを規制するように構成されている。
【００３２】
また、上述したロック解除操作体５のうち、図１０において、ロック解除部材収納領域３ｇの右領域３ｇ”に配置されるロック解除操作体５は、上述したロック解除部材収納領域３ｇの左領域３ｇ’に配置されるロック解除操作体５とは反対に、図１２等に示されているように、摘み部５ｃの水平部５ｃ１や案内板５ｅが、水平基部５ａの下方に位置するように配設される。そして、ロック解除部材収納領域３ｇの右領域３ｇ”に配置されるロック解除操作体５は、ロック解除操作体５のレール部５ｂ２を、短側壁３の板状部３ａと、上述した短側壁３に形成された第２下部係止突起３ｈ３と第２上部係止突起３ｈ４との間隙に挿入するとともに、水平基部５ａの上部を、短側壁３の板状部３ａと第３上部係止突起３ｈ６との間隙に挿入することにより、短側壁３に配設されるように構成されている。そして、同様に、ロック解除操作体５の押出枠５ｂの水平基部５ａに垂直な押出部５ｂ３が、ロック解除本体４の基部４ａの垂直部４ａ５に当接或いは接近して配置されるように構成されている。また、ロック解除操作体５の案内板５ｅは、第２下部係止突起３ｈ３と第３下部係止突起３ｈ５との間に位置する第２水平リブ３ｇ２の上面に立設された下部規制リブ３ｉ２の上端と当接しており、ロック解除操作体５の上下方向の過度の動きを規制するように構成されている。
【００３３】
更に、ロック解除部材収納領域３ｇの左右領域３ｇ’、３ｇ”に配置された一対のロック解除操作体５は、平面的に見て、摘み部５ｃ側に位置する水平基部５ａが、上下方向に部分的に重なるように配置されるとともに、摘み部５ｃを構成する垂直部５ｃ２が相対するように配置されるとともに、垂直部５ｃ２の端部から水平方向に延在する水平部５ｃ１が、互いに、接近する方向に位置するように配置されている。そして、後述するロック解除非作動時においては、一対のロック解除操作体５の摘み部５ｃを構成する水平部５ｃ１の先端間には、所定の間隙ｗ１が形成されている。
【００３４】
周辺リブ３ｂを形成する下部水平部３ｂ３の下面には、上述した長側壁側ヒンジ雄部Ｈ３を構成する支持片ｈ３と同様の一対の支持片ｈ３が垂設されており、また、支持片ｈ３間には、同様の水平ピンｈ４が架橋されており、一対の支持片ｈ３と水平ピンｈ４とにより、上述した底部１の短辺側ヒンジ雌部Ｈ２に対応した短側壁側ヒンジ雄部Ｈ４が形成されている。また、短側壁側ヒンジ雄部Ｈ４を構成する支持片ｈ３に隣接して、上述した長側壁２に形成された補強片と同様の補強片３ｎが垂設されており、そして、隣り合う補強片３ｎと支持片ｈ３とは、上述した長側壁２に形成された連結板２ｋと同様の連結板３ｐにより連結されている。なお、３ｑは、下部水平部３ｂ３の下面に垂設された補強片３ｎ間に位置する一対の間隙であり、この間隙３ｑには、底部１の短辺側外壁１ｃに形成された一対の嵌合凹部１ｃ１を構成する膨出部１ｃ１’が挿入されるように構成されている。
【００３５】
上述した構成を有する底部１、長側壁２、短側壁３、ロック解除部材Ｒを構成するロック解除本体４及びロック解除操作体５は、射出成形等により、合成樹脂で、それぞれ、一体に成形することが好ましい。
【００３６】
次に、底部１、長側壁２及び短側壁３を、折り畳みコンテナーに組み立てる作業について説明する。
【００３７】
底部１に、長側壁２をヒンジ連結するには、底部１の長辺側土手部１ａに沿って形成された長辺側ヒンジ雌部Ｈ１のフックｈ２と長辺側外壁１ｂとの間隙に、長側壁２の長側壁側ヒンジ雄部Ｈ３の水平ピンｈ４を嵌入するとともに、水平ピンｈ４を、上記底部１の長辺側ヒンジ雌部Ｈ１のフックｈ２に引っ掛けることにより、底部１と長側壁２をヒンジ連結する。この際、上述したように、長側壁２の周辺リブ２ｂを構成する下部水平部２ｂ１の裏面に配設された下部ブロック２ｈ間に形成されている凹部２ｉには、底部１に形成された長辺側載置ブロック１ｅが挿入されるように構成されている。
【００３８】
また、底部１に、短側壁３を連結するには、底部１の短辺側外壁１ｃに沿って形成された短辺側ヒンジ雌部Ｈ２のフックｈ２と短辺側外壁１ｃとの間隙に、短側壁３の短側壁側ヒンジ雄部Ｈ４の水平ピンｈ４を嵌入するとともに、水平ピンｈ４を、上記底部１の短辺側ヒンジ雌部Ｈ２のフックｈ２に引っ掛けることにより、底部１と短側壁３をヒンジ連結する。
【００３９】
上述したようにして、底部１と長側壁２とがヒンジ連結されるとともに、底部１と短側壁３とがヒンジ連結されて、折り畳みコンテナーが組み立てられることになる。
【００４０】
図３に示されているように折り畳まれた状態から、図１に示されているように、箱型に折り畳みコンテナーを組み立てるには、先ず最初に、図２に示されているように、長側壁２を略垂直に立てる。次いで、底部１に重なるようにして折り畳まれている短側壁３を、略水平状態から垂直方向に回動させると、短側壁３の張出枠３ｃが、長側壁２に形成された係合枠２ｄに対向するように接近し、更に、短側壁３を、垂直方向に回動させると、短側壁３の張出枠３ｃの端部垂直リブ３ｃ２が、長側壁２の内壁面から突出している係止弾性片２ｇの係止突部２ｇ１を押して、係止弾性片２ｇを、外側面方向に、係止弾性片２ｇの弾性に抗して、回動させる。更に、短側壁３を、垂直方向に回動させると、短側壁３の張出部３ｃに突設された嵌合突部３ｅ１、３ｅ２、３ｅ３が、長側壁２の係合枠２ｄに形成された嵌合孔２ｅ１、２ｅ２、２ｅ３に挿入される。この短側壁３の張出枠３ｃに突設された嵌合突部３ｅ１、３ｅ２、３ｅ３が、長側壁２の係合枠２ｄに形成された嵌合孔２ｅ１、２ｅ２、２ｅ３に挿入される過程において、短側壁３の張出部３ｃの端部垂直リブ３ｃ２から、長側壁２に形成された係止弾性片２ｇの係止突部２ｇ１が外れて、係止弾性片２ｇが、その弾性により、図１４に示されているような、元の位置に戻り、係止弾性片２ｇの垂直面２ｇ２が、短側壁３の張出部３ｃの板部３ｃ１に当接し、従って、短側壁３が、底部１方向に回動しようとしても、短側壁３の張出部３ｃが、長側壁２に形成された係止弾性片２ｇの係止突部２ｇ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００４１】
箱型に組み立てられた折り畳みコンテナーを折り畳む際には、短側壁３に配設されたロック解除部材収納領域３ｇの左右領域３ｇ’、３ｇ”に配置された一対のロック解除操作体５の操作部としての摘み部５ｃを構成する相対する垂直部５ｃ２に、一方の手の親指と人指し指等を当てがい、その後、親指と人指し指等を、接近する方向に移動させて、一対のロック解除操作体５の摘み部５ｃを構成する相対する垂直部５ｃ２及び水平部５ｃ１を接近させると、ロック解除本体４の基部４ａの垂直部４ａ５に当接或いは接近して配置されているロック解除操作体５の押出枠５ｂが、ロック解除本体４を、上部凹部３ｍ１及び下部凹部３ｍ２に挿入された一対の弾性条片３ｄ１の弾性力に抗して、長側壁２方向に移動させる。すると、長側壁２の板状部２ａの上部両端角部付近に形成されている係止弾性片２ｇの係止突部２ｇ１と対峙した位置にあるロック解除本体４の押圧部４ｂの先端部が、短側壁３の張出枠３ｃの端部垂直リブ３ｃ２を越えて外側に突出し、図１５に示されているように、長側壁２に形成された係止弾性片２ｇの係止突部２ｇ１を、係止突部２ｇ１が、短側壁３の張出枠３ｃから外れる方向、即ち、外側方向に押して、長側壁２の係止弾性片２ｇを、その弾性に抗して湾曲させる。長側壁２に形成された長側壁２の係止弾性片２ｇの係止突部２ｇ１が、短側壁３の張出枠３ｃから外れた時点で、図１３に示されているように、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００４２】
上述したように、箱型に組み立てられた折り畳みコンテナーを折り畳む際には、折り畳みコンテナーの外側から、短側壁３に配設されたロック解除部材収納領域３ｇの左右領域３ｇ’、３ｇ”に配置された一対のロック解除操作体５の操作部としての摘み部５ｃを構成する相対する垂直部５ｃ２に、一方の手の親指と人指し指等を当てがい、その後、親指と人指し指等を、接近する方向に移動させて、一対のロック解除操作体５の摘み部５ｃを構成する相対する垂直部５ｃ２及び水平部５ｃ１を接近させることにより、所謂、一方の手のみによるワンタッチ動作により、長側壁２の係止弾性片２ｇと短側壁３の張出枠３ｃとのロック状態を解除することができ、従って、ロック機構のロック解除作業の作業性が向上することになる。
【００４３】
上述したように、短側壁３に配設された一対のロック解除本体４間に、一対のロック解除操作体５を介在させることにより、一方の手のみによるワンタッチ動作により、長側壁２と短側壁３とのロック状態を解除することができるので、ロック機構のロック解除作業の作業性が向上する。
【００４４】
また、図１、図７及び図８等に示されているように、短側壁３のロック解除部材収納領域３ｇの左右領域３ｇ’、３ｇ”に配置された一対のロック解除操作体５の操作部としての摘み部５ｃの上方に位置する、短側壁３の周辺リブ３ｂを構成する上部水平部３ｂ２には、摘み部５ｃの上方に位置する上部水平部３ｂ２の幅（短側壁３の板状部３ａに対して直角方向の長さ）ｗ１を、摘み部５ｃが位置していない上部水平部３ｂ２の幅ｗ２よりも狭くすることにより、所定の幅の切り欠き凹部３ｂ４が形成されている。このように、ロック解除操作体５の操作部としての摘み部５ｃの上方に位置する上部水平部３ｂ２に、所定の幅の切り欠き凹部３ｂ４を形成することにより、作業者が、ロック解除部材Ｒのロック作業及びロック解除作業の際に、ロック解除部材Ｒが配設されていない長側壁２側に位置し、折り畳みコンテナーを上方から見ても、操作部としての摘み部５ｃを視認することができるので、ロック解除部材Ｒのロック作業及びロック解除作業の作業性が向上する。
【００４５】
更に、ロック解除部材Ｒを構成するロック解除本体４及びロック解除操作体５を、短側壁３の該側面に配設したので、折り畳みコンテナーの内部に手を入れて、長側壁２に形成された係止弾性片２ｇを、短側壁３から外すことなく、単に、折り畳みコンテナーの外側から、ロック解除操作体５を作動させることにより、長側壁２と短側壁３とのロック状態を解除することができるので、ロック解除作業の作業性が向上する。
【００４６】
【発明の効果】
本発明は、以上説明した構成を有しているので、以下に記載する効果を奏するものである。
【００４７】
係止弾性片を押圧するロック解除本体と操作部を有するロック解除操作体とからなるロック解除部材を、操作部が相対するように配設するとともに、ロック解除部材の操作部を、互いに、接近する方向に移動させるようにしたので、一方の手のみによるワンタッチ動作により、最初に立てられる側壁と後から立てられる側壁とのロック状態を解除することができるので、ロック機構のロック解除作業の作業性が向上する。
【００４８】
ロック解除操作体の操作部の上方に位置する周辺リブを構成する上部水平部に、所定の幅の切り欠き凹部を形成したので、操作部としての摘み部の視認性が高まり、従って、ロック解除部材のロック作業及びロック解除作業の作業性が向上する。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの長側壁の外壁面側から見た斜視図である。
【図６】図６は本発明の折り畳みコンテナーの長側壁の内壁面側から見た斜視図である。
【図７】図７は本発明の折り畳みコンテナーの短側壁の外壁面側から見た斜視図である。
【図８】図８は本発明の折り畳みコンテナーの短側壁の内壁面側から見た斜視図である。
【図９】図９は本発明の折り畳みコンテナーの短側壁の外壁面側から見た部分分解斜視図である。
【図１０】図１０は本発明の折り畳みコンテナーの短側壁の外壁面側から見たロック解除部材等が省略された状態の正面図である。
【図１１】図１１は本発明の折り畳みコンテナーの短側壁の外壁面側から見たロック解除部材等が配設された状態の正面図である。
【図１２】図１２は図１１と同様の本発明の折り畳みコンテナーの短側壁の外壁面側から見たロック解除部材等が配設された状態の正面図である。
【図１３】図１３は本発明の折り畳みコンテナーの短側壁が回動途中の状態の折り畳みコンテナーの部分斜視図である。
【図１４】図１４は本発明の折り畳みコンテナーが箱型に組み立てれた状態の角部付近の部分水平断面図である。
【図１５】図１５は本発明の折り畳みコンテナーの短側壁が底部方向に回動される過程を説明するための図１４と同様の部分水平断面図である。
【符号の説明】
Ｒ・・・・・・・・・・・・ロック解除部材
１・・・・・・・・・・・・底部
１ｄ・・・・・・・・・・・角部載置ブロック
２・・・・・・・・・・・・長側壁
２ｄ・・・・・・・・・・・係合枠
３・・・・・・・・・・・・短側壁
３ｃ・・・・・・・・・・・張出枠
４・・・・・・・・・・・・ロック解除本体
５・・・・・・・・・・・・ロック解除操作体
【図１】
0003735557.tif 000002
【図２】
0003735557.tif 000003
【図３】
0003735557.tif 000004
【図４】
0003735557.tif 000005
【図５】
0003735557.tif 000006
【図６】
0003735557.tif 000007
【図７】
0003735557.tif 000008
【図８】
0003735557.tif 000009
【図９】
0003735557.tif 000010
【図１０】
0003735557.tif 000011
【図１１】
0003735557.tif 000012
【図１２】
0003735557.tif 000013
【図１３】
0003735557.tif 000014
【図１４】
0003735557.tif 000015
【図１５】
0003735557.tif 000016